(57)【要約】【課題】  中間スラブを容易に設置でき、ポンプを設置するマンホールに適した構造であると共に中間スラブ上で安全で安定した作業ができるポンプ設置マンホール用中間スラブを提供する。【解決手段】  マンホール内の２個のポンプ４，４をメンテナンスするために該ポンプの昇降用ガイドレール９を配設したマンホールの中間スラブ１１において、中間スラブが固定グレ―チング１２とその両側の２個の固定側板グレ―チング１３，１３と開放可能なグレ―チング１４とで組み付け構成され、これらの部材の周縁の各円弧部分がマンホール内壁面に支持され、前記固定グレ―チングの円弧部の反対側に仕切部２１を挟んでポンプのガイドレールを設置する開口２２が形成され、該固定グレ―チングの円弧中心部面から前記仕切部に向け、該グレ―チングの下面に補強部材２３が配置されたポンプ設置マンホール用中間スラブ。【選択図】図２
2011132721.tif 000002
【特許請求の範囲】
【請求項１】
マンホール内の２個のポンプをメンテナンスするために該ポンプの昇降用ガイドレールを配設したマンホールの中間スラブにおいて、該中間スラブを固定グレ―チングとその両側の２個の固定側板グレ―チングと開放可能なグレ―チングとで組み付け構成し、これらの部材の周縁の各円弧部分がマンホール内壁面に支持され、前記固定グレ―チングの円弧部の反対側に仕切部を挟んでポンプのガイドレールを設置する開口を形成し、該固定グレ―チングの円弧中心部面から前記仕切部に向け、該グレ―チングの下面に補強部材を配置したことを特徴とするポンプ設置マンホール用中間スラブ。
【請求項２】
前記開放可能なグレ―チングに開口蓋を設けたことを特徴とする請求項１に記載のポンプ設置マンホール用中間スラブ。
【発明の詳細な説明】
【技術分野】
【０００１】
本発明は、マンホール内に設置された２個のポンプをメンテナンスするために該ポンプの昇降用ガイドレールに沿ってマンホールから引き上げ或いはマンホール内に納めるときに適用されるマンホール内の中間スラブに関するものである。
【背景技術】
【０００２】
従来，ポンプ設置マンホールはマンホール入口から吊り部材の先端をポンプに接続し、マンホール内にポンプ昇降用のガイドレールを配設し、前記吊り部材によりポンプをガイドレールに沿って引き下げ或いは引き上げるようにしたものがある（例えば特許文献１参照。）。
また、マンホール内に中間スラブを設置し、搬入物の一時預かりや点検作業等に利用する技術を開示したものがある（例えば特許文献２参照。）。
【先行技術文献】
【特許文献】
【０００３】
【特許文献１】特開平１１−３４３９９０号公報
【特許文献２】特開２００２−２６６３５８号公報
【発明の概要】
【発明が解決しようとする課題】
【０００４】
ところで、前記先行技術の前者では、マンホール入口からポンプの上げ下げをするようにしているので、その行程が長く作業に過分の労力を必要とすると共に安定した作業ができない虞がある。
また、前記先行技術の後者の中間スラブは、ポンプを通過させる開放可能なグレ―チングやポンプを昇降させるガイドレール設置用のグレ―チングを有するものではないので、ポンプ設置マンホールに適した構造とはなっていない。
【０００５】
本発明は、従来の技術の有するこのような問題点に鑑みてなされたものであり、その目的とするところは、中間スラブを容易に設置でき、ポンプを設置するマンホールに適した構造であると共に中間スラブ上で安全で安定した作業ができるポンプ設置マンホール用中間スラブを提供しようとするものである。
【課題を解決するための手段】
【０００６】
上記目的を達成するために、本発明におけるポンプ設置マンホール用中間スラブは、中間スラブを固定グレ―チングとその両側の２個の固定側板グレ―チングと開放可能なグレ―チングとで組み付け構成し、これらの部材の周縁の各円弧部分がマンホール内壁面に支持され、前記固定グレ―チングの円弧部の反対側に仕切部を挟んでポンプのガイドレールを設置する開口を形成し、該固定グレ―チングの円弧中心部面から前記仕切部に向け、該グレ―チングの下面に補強部材を配置したものである。
【０００７】
また、前記開放可能なグレ―チングに開口蓋を設けたものである。
【発明の効果】
【０００８】
本発明のポンプ設置マンホール用中間スラブによれば、中間スラブを固定グレ―チングとその両側の２個の固定側板グレ―チングと開放可能なグレ―チングとで組み付け構成し、これらの部材の周縁の各円弧部分がマンホール内壁面に支持され、前記固定グレ―チングの円弧部の反対側に仕切部を挟んでポンプのガイドレールを設置する開口を形成し、該固定グレ―チングの円弧中心部面から前記仕切部に向け、該グレ―チングの下面に補強部材を配置したので、中間スラブを容易に設置でき、ポンプを設置するマンホールに適した構造であと共に中間スラブ上で安全で安定した作業ができるポンプ設置マンホール用中間スラブとなる。
【０００９】
また、開放可能なグレ―チングに開口蓋を設けたことにより、前記請求項１の効果に加え、より作業性のよいポンプ設置マンホール用中間スラブとなる。
【図面の簡単な説明】
【００１０】
【図１】本発明に係るポンプ設置マンホール用中間スラブを設置したマンホールの要部縦断面図である。
【図２】図１のＡ−Ａ方向から見た中間スラブの拡大平面図である。
【図３】中間スラブを構成する各グレ―チングの平面図である。
【図４】補強部材の側面図である。
【図５】開口蓋を設けたポンプ設置マンホール用中間スラブの平面図である。
【図６】他の開口蓋を設けたポンプ設置マンホール用中間スラブの平面図である。
【発明を実施するための形態】
【００１１】
マンホール内の２個のポンプをメンテナンスするために該ポンプの昇降用ガイドレールを配設したマンホールの中間スラブにおいて、該中間スラブを固定グレ―チングとその両側の２個の固定側板グレ―チングと開放可能なグレ―チングとで組み付け構成し、これらの部材の周縁の各円弧部分がマンホール内壁面に支持され、前記固定グレ―チングの円弧部の反対側に仕切部を挟んでポンプのガイドレールを設置する開口を形成し、該固定グレ―チングの円弧中心部面から前記仕切部に向け、該グレ―チングの下面に補強部材を配置したマンホール内の作業安全装置である。
【実施例１】
【００１２】
図１ないし図４は本発明の一実施例に関するものであり、図１はポンプ設置マンホール用中間スラブを設置したマンホールの要部縦断面図、図２は図１のＡ−Ａ方向から見た中間スラブの拡大平面図、図３は中間スラブを構成する各グレ―チングの平面図、図４は補強部材の側面図である。
【００１３】
図において、１はマンホールであり、該マンホール１は直円筒状でその内径は１２００ｍｍから２０００ｍｍの中型マンホールである。該マンホール１の上端面には入口開口部２が地上に露出されるように設けられ、マンホール１の内周面には足掛具３，３，…が上下方向に一定間隔で配置されている。
【００１４】
そして、マンホール１の底部には汚水を吸引する２個のポンプ４，４が設置され、各ポンプ４は吐出管５と吐出管連結金具６で接続されている。該吐出管５は前記マンホール１の上部に設けられた排出口７に導く排出管８に接続され、汚水をマンホール１の外に排出するようにしている。
また、前記各吐出管連結金具６には一対のポンプ昇降用ガイドレール９の下端部が支持され、各ポンプ昇降用ガイドレール９の上端部は前記マンホール１の上部に固定されている。
【００１５】
そして、各ポンプ４に取り付けられたスライドガイド１０が前記対をなすポンプ昇降用ガイドレール９にスライド可能に取り付けられ、スライドガイド１０が一対のポンプ昇降用ガイドレール９に案内されて各ポンプ４をマンホール１内で上げ下げ可能としている。
【００１６】
１１は中間スラブであり、該中間スラブ１１は前記マンホール１の略上部に設置されている。該中間スラブ１１は、固定グレ―チング１２とその両側の２個の固定側板グレ―チング１３，１３と開放可能なグレ―チング１４とで組み付け構成され、各グレ―チング１２，１３，１４は、例えば硬質合成樹脂材により格子に一体成形された有孔板体である。
【００１７】
そして、各グレ―チング１２，１３，１４の周縁の各円弧部分１５，１６，１７がマンホール１内壁面にアンカーボルト１８，１８，…で支持され、固定グレ―チング１２とその両側の２個の固定側板グレ―チング１３，１３はマンホール１内壁面に固定され、固定グレ―チング１２とその両側の２個の固定側板グレ―チング１３，１３とのジョイント部はそれぞれチタンボルト１９，１９，…で連結されている。
また、開放可能なグレ―チング１４はグレ―チング受枠２０を介して載置され、いつでもグレ―チング１４の開放を可能としている。
【００１８】
また、前記固定グレ―チング１２の円弧部１５の反対側に仕切部２１を挟んで各ポンプ４の昇降用ガイドレール９を設置する２個の開口２２，２２が形成されている。
なお、本実施例では該開口２２，２２で昇降用ガイドレール９，９と吐出管５，５とを挿通させているが、マンホールの様式で吐出管５，５がマンホール内壁面に沿って配管されている場合には、固定グレ―チング１２の円弧部１５に吐出管５，５の例えば開口半円孔を形成することも可能である（図示せず。）。
【００１９】
また、前記固定グレ―チング１２の円弧中心部面から前記仕切部２１に向け、該固定グレ―チング１２の下面に図４に示すような側面視三角形状の補強部材２３を配置し、アンカーボルト２４，２４，…により該補強部材２３をマンホール１内壁面に固定している。
なお、２個の固定側板グレ―チング１３，１３の直線部２５の下面に四角棒状の補強部材２６を配置し、中間スラブ１１の補強することも可能である。
【００２０】
以上の構成からなるポンプ設置マンホール用中間スラブにおいて、先ず、中間スラブ１１をマンホール１の略上部に設置することは中間スラブ１１が複数のグレ―チング１２，１３，１４の分割体であることから容易に設置でき、昇降用ガイドレール９，９や吐出管５，５等がマンホール１内に立設されていても前記開口２２，２２が形成されていることにより、ポンプ設置マンホール用中間スラブとして適した中間スラブ１１の構造となっている。
【００２１】
次にポンプ４をマンホール１の底部に設置する際には、先ずポンプ４の上部に吊り金具を接続し、該吊り部材として例えば鎖，ロープ等を使用して前記入口開口部２から前記ポンプ４を中間スラブ１１まで引き下ろす。中間スラブ１１はマンホール１の略上部に設置されていることから過分の労力を必要としないと共に不測の事態が起きた場合にも中間スラブ１１がポンプ４のマンホール１の底部への落下を防止し安全で安定した作業が行えるものとなる。
そして、中間スラブ１１に載置されたポンプ４の前記スライドガイド１０を対をなすポンプ昇降用ガイドレール９にスライド可能に取り付け、ポンプ４を少し持ち上げて前記開放可能なグレ―チング１４を開放させる。ポンプ４は開放された開口部から一対のポンプ昇降用ガイドレール９に案内されて安全，容易にマンホール１の底部に引き下ろされ、ポンプ４を設置することができる。同様な作業により２個のポンプ４，４を設置してポンプ設置マンホールとなる。
なお、一連の中間スラブ１１上の作業者の作業において、作業者の片足を前記固定グレ―チング１２の仕切部２１に載せ他方の足を前記固定側板グレ―チング１３に載せることが可能であり、各グレ―チング１２，１３の下面に補強部材２３，２６が配置されていることから作業者はより安全で安定した作業が行えるものとなる。
【００２２】
また、ポンプ４，４をメンテナンスする場合には、中間スラブ１１上の作業者は開放可能なグレ―チング１４を開放させ、例えば鎖，ロープ等を使用してポンプ４を一対のポンプ昇降用ガイドレール９に案内させながら引き上げる。ポンプ４が中間スラブ１１の少し上まで引き上げられた所で作業者は開放可能なグレ―チング１４を配置し、ポンプ４を中間スラブ１１上に載置させる。
そして、ポンプ４のメンテナンスが中間スラブ１１上で簡単にできる場合には該中間スラブ１１上で行い、簡単にできない場合には前記入口開口部２からポンプ４を引き上げて、地上にポンプ４を取り出すことが可能であり、メンテナンスの難易に適応した作業が行えるポンプ設置マンホール用中間スラブである。
【実施例２】
【００２３】
本実施例は、前記開放可能なグレ―チング１４に開口蓋２７を設けたものであり、他の構成は前記実施例１と実質的に同一であるので同一符号を付してその説明を省略する。
【００２４】
図５に示すように前記開放可能なグレ―チング１４の略中央には、平面視円形状の開口蓋２７を載置するための開口が形成され、該開口に蓋受枠２８を介して通常は開口蓋２７が載置されている。そして、開口蓋２７の上面周辺には、複数の反射体２９，２９，…が配置されている。
また、図６に示すように前記開放可能なグレ―チング１４の略円弧部分１７に平面視略半円形状の開口蓋３０を載置することも可能である。
【００２５】
本実施例のような構成からなるポンプ設置マンホール用中間スラブは、開放可能なグレ―チング１４に開口蓋２７，３０を設けることにより中間スラブ１１上の作業者は開口蓋２７，３０を開放し、前記マンホール１の内周面に配置された足掛具３，３，…を利用して容易にマンホール１の底部まで降りることが可能となり、より作業性のよいポンプ設置マンホール用中間スラブとなる。
【符号の説明】
【００２６】
１                  マンホール
４                  ポンプ
９                  昇降用ガイドレール
１１                中間スラブ
１２                固定グレ―チング
１３                固定側板グレ―チング
１４                開放可能なグレ―チング
１５，１６，１７    円弧部分
２１                仕切部
２２                開口
２３                補強部材
２７，３０          開口蓋
【図１】
2011132721.tif 000003
【図２】
2011132721.tif 000004
【図３】
2011132721.tif 000005
【図４】
2011132721.tif 000006
【図５】
2011132721.tif 000007
【図６】
2011132721.tif 000008